(57)【要約】【課題】積層されたスクリーンのそれぞれにおいて異なる表示を行わせて、これらの表示を重ね合わせた表示を生成できる映像投射用スクリーン及び映像表示システムを提供する。【解決手段】第１のスクリーン１０、及び第１のスクリーン１０に対して間隔をあけて対面している第２のスクリーン２０を有する映像投射用スクリーン１００とする。ここで、第１のスクリーンは、直線偏光に対して散乱が最も大きくなる散乱軸、及び直線偏光に対して散乱が最も小さくなる透過軸を面内に有する直線偏光選択性スクリーンである。また、本発明の映像投射用スクリーン１００、並びに第１及び第２の映像プロジェクタ１１、２１を有する、映像表示システムとする。【選択図】図２
2010160215.tif 000002
【特許請求の範囲】
【請求項１】
第１のスクリーン、及び前記第１のスクリーンに対して間隔をあけて対面している第２のスクリーンを有し、且つ
前記第１のスクリーンが、直線偏光に対して散乱が最も大きくなる散乱軸、及び直線偏光に対して散乱が最も小さくなる透過軸を面内に有する直線偏光選択性スクリーンである、
映像投射用スクリーン。
【請求項２】
前記第２のスクリーンが、直線偏光に対して散乱が最も大きくなる散乱軸、及び直線偏光に対して散乱が最も小さくなる透過軸を面内に有する直線偏光選択性スクリーンであり、且つ
前記第１のスクリーンと前記第２のスクリーンとが、互いの散乱軸が直交するようにして配置されている、
請求項１に記載の映像投射用スクリーン。
【請求項３】
前記第１のスクリーンが、透過型の直線偏光選択性スクリーンであり、且つ前記第２のスクリーンが、反射型の直線偏光選択性スクリーンである、請求項２に記載の映像投射用スクリーン。
【請求項４】
前記第１及び第２のスクリーンがいずれも、透過型の直線偏光選択性スクリーンである、請求項２に記載の映像投射用スクリーン。
【請求項５】
前記第１及び第２のスクリーンがいずれも、反射型の直線偏光選択性スクリーンである、請求項２に記載の映像投射用スクリーン。
【請求項６】
前記第２のスクリーンが、全光散乱反射性スクリーンである、請求項１に記載の映像投射用スクリーン。
【請求項７】
前記第１のスクリーンと前記第２のスクリーンとの間に、偏光板が配置されており、且つ前記偏光板の透過軸が、前記第１のスクリーンの透過軸又は散乱軸と平行にされている、請求項１〜６のいずれかに記載の映像投射用スクリーン。
【請求項８】
前記第１のスクリーンと前記第２のスクリーンとの間隔が、前記第１のスクリーンの長辺の１／１０，０００倍〜２倍である、請求項１〜７のいずれかに記載の映像投射用スクリーン。
【請求項９】
請求項１〜８のいずれかに記載の映像投射用スクリーン、
前記第１のスクリーンの散乱軸方向の偏光によって、前記第１のスクリーンに映像を投射する、第１の映像プロジェクタ、及び
前記第１のスクリーンの透過軸方向の偏光によって、前記第２のスクリーンに映像を投射する、第２の映像プロジェクタ、
を有する、映像表示システム。
【請求項１０】
前記第１及び第２の映像プロジェクタの両方が、前記映像投射用スクリーンの同じ側に配置されている、請求項９に記載の映像表示システム。
【請求項１１】
単一の映像プロジェクタを切り替えて、前記第１及び第２の両方の映像プロジェクタとして用いる、請求項１０に記載の映像表示システム。
【請求項１２】
前記第１及び第２の映像プロジェクタのそれぞれが、前記映像投射用スクリーンの反対側に配置されている、請求項９に記載の映像表示システム。
【発明の詳細な説明】
【技術分野】
【０００１】
本発明は、映像プロジェクタによって映像を投射するための映像投射用スクリーンに関する。また、本発明は、このような映像投射用スクリーン及び映像プロジェクタを有する映像表示システムに関する。
【背景技術】
【０００２】
映像プロジェクタ（投射型表示装置）は、直視型表示装置と比較して、小型且つ低コストで大画面表示が実現できるため、需要が増大している。特に、二次元光学スイッチとして液晶素子を用いた映像プロジェクタ、すなわち液晶プロジェクタは、ＣＲＴ投射管を用いた映像プロジェクタと異なり、ドッドマトリックス表示により画面の周辺部までボケの無い高精細な表示が可能であるため、高解像度デジタルテレビの本命として期待されている。
【０００３】
従来、映像プロジェクタによって映像を投影されるスクリーンとしては、映像プロジェクタからの投射光を全反射させる白色のスクリーンが用いられてきた。しかしながら、近年、偏光によって映像を投射する映像プロジェクタ、特に液晶プロジェクタと共に使用される反射型スクリーンのコントラストを向上させるために、ある特定の偏光のみを選択反射する偏光選択性スクリーンが提案されている。このような偏光選択性スクリーンでは、映像プロジェクタから投射される偏光を反射し／散乱させ、これとは異なる方向の偏光、すなわち環境光の半分を透過させ及び／又は吸収することによって、表示される映像のコントラストを改良している（特許文献１〜５）。
【０００４】
これに関し、例えば特許文献５では、直線偏光に対して散乱が最も大きくなる散乱軸と直線偏光に対して散乱が最も小さくなる透過軸とを面内に有する直線偏光選択性スクリーンを開示している。ここで、この直線偏光選択性スクリーンは、高分子マトリックス中に高分子微粒子を含有する配向フィルムを含んでなり、且つこれらの高分子マトリックス及び高分子微粒子が特定の屈折率異方性を有している。
【０００５】
なお、直視型表示装置の例である液晶ディスプレイに関しては、表示装置の動作性能や映像品位の向上を目的として、複数の液晶パネルを積層した構造が提案されている。ここで、このような液晶表示装置では、積層された液晶パネルのそれぞれにおいて異なる表示を行わせて、これらの表示を重ね合わせた表示を観察できるようにしている。
【０００６】
具体的には特許文献６では、一方の液晶パネルに他方の液晶パネルに表示される映像の比較対象となる映像を表示し、これらを同時に表示させることでこれら関連づけられた映像を同時に視認させることが提案している。特許文献６では例えば、１つの液晶パネルにテキスト情報を表示するとともに、他の液晶パネルにテキスト情報に関連するグラフィックを表示して、テキストとグラフィックとを重ねて表示することによって、感覚的な理解を促進することを提案している。
【０００７】
また、特許文献７では、積層された複数の液晶ディスプレイのような表示スクリーンを用いて、奥行きを有する映像を作ることを提案している。
【０００８】
【特許文献１】特開平５−１０７６６０号公報
【特許文献２】特開２００５−１７７５１号公報
【特許文献３】特表２００２−５４０４４５号公報
【特許文献４】特表２００５−５２６２８３号公報
【特許文献５】国際公開ＷＯ２００６／００９２９３号公報
【特許文献６】特開２００２−２２９０５９号公報
【特許文献７】特表２００２−５０４７６４号公報
【発明の開示】
【発明が解決しようとする課題】
【０００９】
本発明の１つの目的は、積層されたスクリーンのそれぞれにおいて異なる表示を行わせて、これらの表示を重ね合わせた表示を生成できる映像投射用スクリーン及び映像表示システムを提供することである。本発明の他の目的及び利点は以下の説明から明らかになろう。
【課題を解決するための手段】
【００１０】
本発明は下記のようなものである：
【００１１】
〈１〉第１のスクリーン、及び上記第１のスクリーンに対して間隔をあけて対面している第２のスクリーンを有し、且つ
上記第１のスクリーンが、直線偏光に対して散乱が最も大きくなる散乱軸、及び直線偏光に対して散乱が最も小さくなる透過軸を面内に有する直線偏光選択性スクリーンである、
映像投射用スクリーン。
〈２〉上記第２のスクリーンが、直線偏光に対して散乱が最も大きくなる散乱軸、及び直線偏光に対して散乱が最も小さくなる透過軸を面内に有する直線偏光選択性スクリーンであり、且つ
上記第１のスクリーンと上記第２のスクリーンとが、互いの散乱軸が直交するようにして配置されている、
上記〈１〉項に記載の映像投射用スクリーン。
〈３〉上記第１のスクリーンが、透過型の直線偏光選択性スクリーンであり、且つ上記第２のスクリーンが、反射型の直線偏光選択性スクリーンである、上記〈２〉項に記載の映像投射用スクリーン。
〈４〉上記第１及び第２のスクリーンがいずれも、透過型の直線偏光選択性スクリーンである、上記〈２〉項に記載の映像投射用スクリーン。
〈５〉上記第１及び第２のスクリーンがいずれも、反射型の直線偏光選択性スクリーンである、上記〈２〉項に記載の映像投射用スクリーン。
〈６〉上記第２のスクリーンが、全光散乱反射性スクリーンである、上記〈１〉項に記載の映像投射用スクリーン。
〈７〉上記第１のスクリーンと上記第２のスクリーンとの間に、偏光板が配置されており、且つ上記偏光板の透過軸が、上記第１のスクリーンの透過軸又は散乱軸と平行にされている、上記〈１〉〜〈６〉項のいずれかに記載の映像投射用スクリーン。
〈８〉上記第１のスクリーンと上記第２のスクリーンとの間隔が、上記第１のスクリーンの長辺の１／１０，０００倍〜２倍である、上記〈１〉〜〈７〉項のいずれかに記載の映像投射用スクリーン。
〈９〉上記〈１〉〜〈８〉項のいずれかに記載の映像投射用スクリーン、
上記第１のスクリーンの散乱軸方向の偏光によって、上記第１のスクリーンに映像を投射する、第１の映像プロジェクタ、及び
上記第１のスクリーンの透過軸方向の偏光によって、上記第２のスクリーンに映像を投射する、第２の映像プロジェクタ、
を有する、映像表示システム。
〈１０〉上記第１及び第２の映像プロジェクタの両方が、上記映像投射用スクリーンの同じ側に配置されている、上記〈９〉項に記載の映像表示システム。
〈１１〉単一の映像プロジェクタを切り替えて、上記第１及び第２の両方の映像プロジェクタとして用いる、上記〈１０〉項に記載の映像表示システム。
〈１２〉上記第１及び第２の映像プロジェクタのそれぞれが、上記映像投射用スクリーンの反対側に配置されている、上記〈９〉項に記載の映像表示システム。
【発明の効果】
【００１２】
本発明の映像投射用スクリーン及び映像表示システムによれば、積層されたスクリーンのそれぞれにおいて異なる表示を行わせて、これらの表示を重ね合わせた表示を生成できる。
【発明を実施するための最良の形態】
【００１３】
以下では、図面を用いて本発明の映像投射用スクリーン及び映像表示システムを説明する。以下の説明では特に、本発明の映像投射用スクリーンを、本発明の映像表示システムに関して説明するが、本発明の映像投射用スクリーンの用途は本発明の映像表示システムに限定されるものではない。
【００１４】
〈本発明の映像投射用スクリーン〉
本発明の映像投射用スクリーンは、第１のスクリーン、及び第１のスクリーンに対して間隔をあけて対面している第２のスクリーンを有する。ここで、第１のスクリーンは、直線偏光選択性スクリーン、すなわち直線偏光に対して散乱が最も大きくなる散乱軸、及び直線偏光に対して散乱が最も小さくなる透過軸を面内に有するスクリーンである。なお、本発明で用いられる直線偏光選択性スクリーンは例えば、特許文献５で示されるように、特定の屈折率異方性を有する高分子マトリックス中に高分子微粒子を含有する配向フィルムを含んでなるものである。
【００１５】
本発明の映像投射用スクリーンでは、第２のスクリーンが、直線偏光選択性スクリーンであり、且つ第１のスクリーンと第２のスクリーンとが、互いの散乱軸が直交するようにして配置されていてよい。また、本発明の映像投射用スクリーンでは、第２のスクリーンが、全光散乱反射性スクリーン、例えば通常の白色スクリーンであってもよい。
【００１６】
第１のスクリーンと第２のスクリーンとの間隔は、意図する用途に応じて任意に決定することができ、例えば第１のスクリーンの長辺の１／１０，０００倍〜２倍、１／１，０００倍〜２倍、１／１００倍〜１／２倍、１／１００倍〜１／１０倍、又は１／５０倍〜１／１０倍にすることができる。
【００１７】
第１のスクリーンと第２のスクリーンとの間隔が小さすぎる場合には、これらのスクリーンを積層して用いることによる視覚的な影響が小さくなることがある。また他方で、第１のスクリーンと第２のスクリーンとの間隔が大きすぎる場合には、結果として得られる映像投射用スクリーンの厚さが大きくなり、取り扱いが難しくなること、及び／又はこれらのスクリーンに投射される映像を一体的に認識しにくくなることがある。
【００１８】
図１（Ａ）に示すように、本発明の映像投射用スクリーン１００では、第１のスクリーン１０と第２のスクリーン２０との間に、何も配置されていない空間が存在するように配置することもできる。この場合、映像投射用スクリーンの重量を軽くすること、第１のスクリーンと第２のスクリーンとの間隔を用途に応じて調節すること等ができる。この態様では、第１及び第２のスクリーン自体を自立性にすること、第１及び第２のスクリーンを吊り下げ式にすること等ができる。
【００１９】
第１及び第２のスクリーン１０及び２０自体を自立性にする場合には例えば、第１及び第２のスクリーン１０及び２０のそれぞれに、図１（Ｂ）に示すような透明基材５１及び５２、型枠等を提供することができる。透明基材としては、アクリル系樹脂のような光学的に透明な有機透明基板、ガラス基板のような無機透明基板等を用いることができる。
【００２０】
また、図１（Ｃ）に示すように、第１及び第２のスクリーン１０及び２０を透明基材５０の両側に貼り付けて、第２のスクリーンを、第１のスクリーンに対して間隔をあけて対面させることができる。この場合、第１及び第２のスクリーンに寸法的な安定性、強度等を提供することができる。透明基材としては、アクリル系樹脂のような光学的に透明な有機透明基板、ガラス基板のような無機透明基板等を用いることができる。
【００２１】
なお、第１のスクリーン１０と第２のスクリーン２０との間に偏光板を配置し、且つこの偏光板の透過軸を、第１のスクリーンの透過軸又は散乱軸と平行にすることもできる。この場合の偏光板は、図１（Ｂ）及び（Ｃ）の透明基板の代わりに又はこれらの透明基板に加えて、用いることができる。
【００２２】
なお、直線偏光選択性スクリーンは通常、映像プロジェクタからスクリーンに投射される映像を、スクリーンを基準にして映像プロジェクタと同じ側及び反対側のいずれからでも観察することができる。しかしながら本発明に関して、「反射型の直線偏光選択性スクリーン」は、映像プロジェクタからスクリーンの投射される映像を、スクリーンを基準にして映像プロジェクタと同じ側から観察するのに適した特性を有する直線偏光選択性スクリーンを意味するものとする。また、本発明に関して、「透過型の直線偏光選択性スクリーン」は、映像プロジェクタからスクリーンの投射される映像を、スクリーンを基準にして映像プロジェクタと反対側から観察するのに適した特性を有する直線偏光選択性スクリーンを意味するものとする。
【００２３】
例えば、反射型の直線偏光選択性スクリーンは、下記の式（１）及び（２）を満たしている直線偏光選択性スクリーンである：
２＜ＴＴtrans／ＴＴscat、又は３＜ＴＴtrans／ＴＴscat                （１）
ＴＴ＜６０％、又はＴＴ＜５０％                                          （２）
（ＴＴtrans：透過軸方向の全光線透過率
ＴＴscat：散乱軸方向の全光線透過率
ＴＴ：全光線透過率）。
【００２４】
例えば、透過型の直線偏光選択性スクリーンは、下記の式（３）及び（４）を満たしている直線偏光選択性スクリーンである：
１≦ＴＴtrans／ＴＴscat≦２、又は１≦ＴＴtrans／ＴＴscat≦１．５    （３）
６０％≦ＴＴ、又は７０％≦ＴＴ                                        （４）
（ＴＴtrans：透過軸方向の全光線透過率
ＴＴscat：散乱軸方向の全光線透過率
ＴＴ：全光線透過率）。
【００２５】
なお、本発明に関して「全光線透過率」は、ＪＩＳＫ７３６１−１準拠で測定される値であり、具体的には、ＣＩＥ  Ｄ65標準光源を用いて、入射光に対する試料を透過した全光線の割合として表される値である。
【００２６】
〈本発明の映像表示システム〉
本発明の映像表示システムは、上記の映像投射用スクリーン、第１の映像プロジェクタ、及び第２の映像プロジェクタを有する。
【００２７】
ここで、第１の映像プロジェクタは、第１のスクリーンの散乱軸方向の偏光によって、第１のスクリーンに映像を投射する映像プロジェクタである。すなわち、第２のスクリーンが、直線偏光選択性スクリーンであり、且つ第１のスクリーンと第２のスクリーンとが、互いの散乱軸が直交するようにして配置されている場合には、第１の映像プロジェクタから投射される偏光は、第２のスクリーンの透過軸方向の偏光となり、したがって第２スクリーンでは実質的に散乱されない。また、第１の映像プロジェクタから投射される偏光は、第１のスクリーンによって散乱された後も、実質的にその偏光状態を維持しているので、第２スクリーンでは実質的に散乱されない。
【００２８】
また、第２の映像プロジェクタは、第１のスクリーンの透過軸方向の偏光によって、第２のスクリーンに映像を投射する映像プロジェクタである。すなわち、第２の映像プロジェクタから投射される偏光は、第１スクリーンでは実質的に散乱されない。また、第２の映像プロジェクタから投射される偏光は、第２のスクリーンによって散乱された後も、実質的にその偏光状態を維持しているので、第１スクリーンでは実質的に散乱されない。
【００２９】
なお、ここで用いられる第１及び第２の映像プロジェクタは、偏光によって映像を投射することができる任意の映像プロジェクタであってよく、具体的には例えば二次元光学スイッチとして液晶素子を用いた映像プロジェクタ、すなわち液晶プロジェクタであってよい。
【００３０】
第１及び第２の映像プロジェクタとしては、単一の映像プロジェクタを切り替えて用いることもできる。すなわち、単一の映像プロジェクタから投射される偏光の方向を、位相差フィルムによって投射軸の周りに回転させて、第１のスクリーンの散乱軸方向及び透過軸方向の偏光を切り替えて得ることができる。すなわち例えば、可視光の中心領域の略半波長の位相差を有する位相差フィルムを映像プロジェクタとスクリーンとの間に反復的に挿入・除去することによって、直線偏光を９０°回転させて、第１のスクリーンの散乱軸方向及び透過軸方向の偏光を切り替えて得ることができる。
【００３１】
また、当然に、単一の映像プロジェクタを投射軸の周りに回転させて、第１のスクリーンの散乱軸方向及び透過軸方向の偏光を切り替えて得ることもできる。
【００３２】
〈本発明の映像表示システム−第１の態様〉
図２に示す本発明の映像表示システムの第１の態様２０１では、第１及び第２の映像プロジェクタ１１及び２１の両方が、映像投射用スクリーンの第１のスクリーン１０の側に配置されている。
【００３３】
この映像表示システム２０１の使用においては、第１の映像プロジェクタ１１から投射される偏光１２、すなわち第１のスクリーンの散乱軸方向の偏光１２が、第１のスクリーン１０において散乱して、観察者Ａ及び／又はＢによって観察される。
【００３４】
なお、第２のスクリーンが直線偏光選択性スクリーンであり、且つ第１のスクリーンと第２のスクリーンとが、互いの散乱軸が直交するようにして配置されている場合、第１の映像プロジェクタ１１から投射される偏光１２のうちの第１のスクリーン１０において散乱されなかった偏光の残部は、第２のスクリーン２０においては実質的に散乱されずに透過する。また、第１のスクリーン１０において散乱した散乱光は、一般にその偏光状態を維持しているので、第２のスクリーン２０においては実質的に散乱されずに透過する。したがって、この場合には、第１の映像プロジェクタ１１から投射される映像は、第２のスクリーン２０には実質的に表示されない。
【００３５】
ここで、第１のスクリーン１０と第２のスクリーン２０との間に、偏光板の透過軸が第１のスクリーンの透過軸と平行になるようにして偏光板が配置されている場合、すなわち第１の映像プロジェクタ１１から投射される第１のスクリーン１０の散乱軸方向の偏光１２を吸収するようにして偏光板が配置されている場合、第１の映像プロジェクタ１１から投射される偏光１２のうちの第１のスクリーン１０において散乱されなかった偏光の残部、及び第１のスクリーン１０において散乱した散乱光が、この偏光板によって吸収され、それによって第２のスクリーン２０の側には到達しない。
【００３６】
また、この映像表示システム２０１の使用においては、第２の映像プロジェクタ２１から投射される偏光２２、すなわち第１のスクリーンの透過軸方向の偏光２２が、第１のスクリーン１０を透過し、そして第２のスクリーン２０において散乱して、観察者Ａ及び／又はＢによって観察される。
【００３７】
ここで、第２のスクリーン２０において散乱して戻った散乱光は、一般にその偏光状態を維持しているので、第１のスクリーン１０においては実質的に散乱されずに透過する。したがって、第２の映像プロジェクタ２１から投射される映像は、第１のスクリーン１０には実質的に表示されない。
【００３８】
なお、この映像表示システム２０１が、第１のスクリーン１０の側に位置する観察者Ａのみによる観察を意図する場合、好ましくは、第１及び第２のスクリーン１０及び２０の少なくとも一方として、反射型の直線偏光選択性スクリーンを用いて、観察者Ａがコントラスト、明るさ等に関して好ましい映像を観察できるようにする。また、この場合、第２のスクリーン２０として、全光散乱反射性スクリーン、例えば通常の白色スクリーンを用いて、第２の映像プロジェクタ２１から投射される偏光２２の実質的に全てが第２のスクリーン２０で反射されるようにすることもできる。
【００３９】
また例えば、この映像表示システム２０１が、第２のスクリーン２０の側に位置する観察者Ｂのみによる観察を意図する場合、好ましくは、第１及び第２のスクリーン１０及び２０の少なくとも一方として、透過型の直線偏光選択性スクリーンを用いて、観察者Ｂがコントラスト、明るさ等に関して好ましい映像を観察できるようにする。
【００４０】
〈本発明の映像表示システム−第２の態様〉
図３に示す本発明の映像表示システムの第２の態様２０２では、第１の映像プロジェクタ１１’が、映像投射用スクリーン１００の第１のスクリーン１０の側に配置されており、且つ第２の映像プロジェクタ２１’が、映像投射用スクリーン１００の第２のスクリーン２０の側に配置されている。
【００４１】
この映像表示システム２０２の使用においては、第１の映像プロジェクタ１１’から投射される偏光１２、すなわち第１のスクリーンの散乱軸方向の偏光１２が、第１のスクリーン１０において散乱して、観察者Ａ及び／又はＢによって観察される。
【００４２】
また、この映像表示システム２０２の使用においては、第２の映像プロジェクタ２１’から投射される偏光２２、すなわち第２のスクリーンの散乱軸方向の偏光２２が、第２のスクリーン２０において散乱して、観察者Ａ及び／又はＢによって観察される。
【００４３】
直線偏光選択性スクリーン及び全光散乱反射性スクリーンの選択、偏光板の使用、意図する観察者の位置等に関しては、本発明の映像表示システムの第１の態様２０１に関する記載を参照することができる。
【００４４】
〈本発明の映像表示システム−第３の態様〉
図４に示す本発明の映像表示システムの第３の態様２０３では、第１の映像プロジェクタ１１”が、映像投射用スクリーン１００の第２のスクリーン２０の側に配置されており、且つ第２の映像プロジェクタ２１”が、映像投射用スクリーン１００の第１のスクリーン１０の側に配置されている。この態様では、第２のスクリーンが直線偏光選択性スクリーンであり、且つ第１のスクリーンと第２のスクリーンとが、互いの散乱軸が直交するようにして配置されている。
【００４５】
この映像表示システム２０３の使用においては、第１の映像プロジェクタ１１”から投射される偏光１２、すなわち第１のスクリーンの散乱軸方向の偏光１２が、第２のスクリーン２０を透過し、そして第１のスクリーン１０において散乱して、観察者Ａ及び／又はＢによって観察される。
【００４６】
また、この映像表示システム２０３の使用においては、第２の映像プロジェクタ２１”から投射される偏光２２、すなわち第２のスクリーンの散乱軸方向の偏光２２が、第１のスクリーン１０を透過し、そして第２のスクリーン２０において散乱して、観察者Ａ及び／又はＢによって観察される。
【００４７】
直線偏光選択性スクリーン及び全光散乱反射性スクリーンの選択、偏光板の使用、意図する観察者の位置等に関しては、本発明の映像表示システムの第１の態様２０１に関する記載を参照することができる。
【図面の簡単な説明】
【００４８】
【図１】図１は、本発明の映像投射用スクリーンを示す概略図である。
【図２】図２は、本発明の映像表示システムの第１の態様を示す概略図である。
【図３】図３は、本発明の映像表示システムの第２の態様を示す概略図である。
【図４】図４は、本発明の映像表示システムの第３の態様を示す概略図である。
【符号の説明】
【００４９】
１０    第１のスクリーン
１１、１１’、１１”    第１の映像プロジェクタ
２０    第２のスクリーン
２１、２１’、２１”    第２の映像プロジェクタ
５０、５１、５２    透明基材（又は偏光板）
１００    本発明の映像投射用スクリーン
２０１    本発明の映像表示システムの第１の態様
２０２    本発明の映像表示システムの第２の態様
２０３    本発明の映像表示システムの第３の態様
Ａ、Ｂ    観察者
【図１】
2010160215.tif 000003
【図２】
2010160215.tif 000004
【図３】
2010160215.tif 000005
【図４】
2010160215.tif 000006